(57)【要約】      （修正有）【課題】椅子を自由に回転させ設定した角度に位置決めできる乳母車を提供する。【解決手段】水平桿は後輪桿と支持桿に接続し、それぞれ位置決め座を設け、支持桿と前輪桿が湾曲桿で接続され、前輪下桿と後輪桿とが交差して接続され、前輪桿が移動もしくは傾斜してロープを動かし、椅子が複数の骨フレームから構成され、底部に方向転換装置を設けてなり、方向転換装置は両側の底部にそれぞれ位置決め座に挿入する挿入座を設け、方向転換盤は表面が複数の底桿に位置決めされ、底桿は椅子の下方に設けられ、方向転換盤は外周端縁部に複数の孔が形成され、中心が柱体で位置決め盤に接続し、位置決め盤は両側に延伸ブロックを設けてなり、延伸ブロックの端縁部が挿入座に回転自在に接続し、延伸ブロックの内部に柱体を挿入し、柱体がロープの連動を受けて方向転換盤の外周端縁部に形成された孔に進入する。【選択図】図１
0003126071.tif 000002
【実用新案登録請求の範囲】
【請求項１】
本体が２本の水平桿と、ハンドルと、前輪桿と、一対の前輪下桿と、一対の支持桿と、後輪桿と、２つの前輪及び後輪と、椅子とを含んでなる複数の支持桿から構成され、
該水平桿は一端が後輪桿に回動自在に接続し、他端が支持桿に回動自在に接続し、それぞれ位置決め座を設けてなり、
該支持桿と前輪桿が湾曲桿を介して接続し、
該前輪下桿と後輪桿とが交差した状態に回動自在に接続し、
該前輪桿が位置を移動もしくは傾斜してロープを動かし、
該椅子が複数の骨フレームから構成され、底部に方向転換装置を設けてなり、
該方向転換装置は両側の底部にそれぞれ位置決め座に挿入する挿入座を設け、方向転換盤と、位置決め盤とを具えてなり、
該方向転換盤は表面が複数の底桿に位置決めされ、該底桿は椅子の下方に接続して設けられ、該方向転換盤は外周端縁部に複数の孔が形成され、中心が柱体を介して位置決め盤に回転自在に接続し、
該位置決め盤は両側に外方向に延伸した延伸ブロックを設けてなり、該延伸ブロックの端縁部が挿入座に回転自在に接続し、該延伸ブロックの内部に柱体を挿入し、該柱体がロープの連動を受けて柱体が方向転換盤の外周端縁部に形成された孔に入り込み、
上述の構造により、位置を移動、もしくは傾いた前輪桿がロープを動かしてロープが位置決め盤の柱体を連動して後方に長さが縮まり、該方向転換盤と椅子が同時に回転し、方向転換盤及び椅子が適宜な角度まで回転すると、前輪桿が元の位置に戻り、柱体が方向転換盤の外周端縁部に形成された孔に入り込み、方向転換盤及び椅子が適宜な角度に位置決めされ、椅子の方向及び角度を転換することができる構造からなることを特徴とする乳母車。
【請求項２】
前記方向転換盤は表面に複数の位置決め管が設けられ、該位置決め管が椅子の底桿を挿接して位置決めするために供することを特徴とする請求項１に記載の乳母車。
【請求項３】
前記方向転換盤は外周端縁部に４つの孔が形成され、隣接する孔との間の角度が９０度になるように形成されることを特徴とする請求項１に記載の乳母車。
【請求項４】
前記挿入座は椅子に接続する上方端縁部に形成された耳が位置決め盤の延伸ブロックと回動自在に接続して設けられることを特徴とする請求項１に記載の乳母車。
【請求項５】
前記挿入座は下方に挿入ブロックが設けられ、該挿入ブロックが２つの水平桿の位置決め座に挿入して設けられ、該挿入ブロックには柱体が設けられ、挿入ブロックの側面にロープと牽引ブロックとを挿入するために供する溝が形成され、該牽引ブロックには孔が形成され、ロープの他端が柱体に接続し、該位置決め座には椅子に接続する上方側面に挿入座の挿入ブロックを挿入するために供する挿入溝と、フック及びロープを挿入するために供する設置槽が形成され、該フックが挿入座の牽引ブロックの内部の孔に係入され、位置決め座内の推移板に入り込み、推移板は一端がヘッドに接触し、他端がバネで押し圧されるとともに、ガイド斜面及び当止面が設けられ、内部に回復ブロックが挿入され、該回復ブロックが別のバネで押し圧されると、該挿入ブロックの柱体がガイド斜面を介して推移板内に進入し、当止面が上方へ移動し過ぎないように制限し、推移板が移動すると、挿入ブロックの柱体が回復ブロックの弾力を受けて上方に押され、挿入ブロックを取り出すことができる構造からなることを特徴とする請求項１に記載の乳母車。
【請求項６】
前記位置決め盤は延伸ブロックが設けられた外周縁部から延伸ブロックの内部に適宜な深さを具えた溝が形成され、該溝にはバネが設けられ、柱体を溝に挿入し、バネで押し圧するために供することを特徴とする請求項１に記載の乳母車。
【請求項７】
前記ヘッドには突起が設けられ、対向する位置決め座には側孔が形成され、突起が側孔内で係止されることを特徴とする請求項５に記載の乳母車。
【請求項８】
前記位置決め座は内部に回復ブロックのバネを押し圧するために供する受圧ブロックが設けられることを特徴とする請求項５に記載の乳母車。
【請求項９】
前記位置決め座は側面にカバーを接続して設けるとともに、複数の支持棒が接続して設けられ、該位置決め座には別の複数の支持棒で水平桿を接続して設けることを特徴とする請求項１に記載の乳母車。
【請求項１０】
前記前輪桿はナットとフックを具えてなり、該支持桿には逆フックが設けられ、ナットが上方に移動するとフックが連動して上方に移動して、フックと逆フックが外れ、前輪桿が適宜な角度に傾いてロープを連動することを特徴とする請求項１に記載の乳母車。
【考案の詳細な説明】
【技術分野】
【０００１】
この考案は、乳母車に関し、特に子供を乗せて移動する乳母車に関する。
【背景技術】
【０００２】
子供を連れて外出する場合、子供が心地よく座ることができ、保護者が子供を抱いて歩く大変さを和らげ、且つ安全で、子供が走り回って危険な事が発生することを防ぐために、乳母車の携帯が欠かせない。
【０００３】
現在市場で販売されている乳母車は、椅子の方向を変えて子供から乳母車を推す人が見えるように座らせることや、子供を進行方向が見えるように座らせることができる。その操作方法は大きく２種類に分けることができる。
【０００４】
第一の方法は乳母車のハンドル（乳母車を押す時に握るために供する）を傾けて適宜な角度に回転してから位置決めし、ハンドルを前方から後方へ移動すると、乳母車が前後逆に設定される。椅子の角度は変わらない状態で、子供が進行方向に対して前向きから後ろ向きになり、椅子の前後が逆になる。また、第二の方法は、椅子を直接、乳母車から取り外し、椅子の向きを変えてから乳母車に位置決めして、椅子の向きを前後逆に設けるものである。
【０００５】
しかしながら、上述した２種類の方法はいずれも椅子の方向が１８０度変わり、９０度、もしくはその他の角度には変えることができない（設置する方向を変えることであり、回転する角度ではない）などいずれも共通の欠点を具えている。椅子の角度を１８０度変える場合、子供の視野が限られ、吸引力が遮断され、子供の脳の発達も制限される。また、信号などで道路上に止まると、オートバイなどの排気ガスが子供に吹きかかり、子供の呼吸不全を導き、空気汚染、且つ椅子で熟睡する子供を一度乳母車から出して方向を変えなければならないため、寝ている子供を起こすことや、驚かす可能性がある。
【考案の開示】
【考案が解決しようとする課題】
【０００６】
この考案は、椅子を自由に回転させて予め設定した角度に位置決めすることができる乳母車を提供することを課題とする。
【課題を解決するための手段】
【０００７】
そこで、本考案者は従来の技術に見られる欠点に鑑みて鋭意研究を重ねた結果、本体が２本の水平桿と、ハンドルと、前輪桿と、一対の前輪下桿と、一対の支持桿と、後輪桿と、２つの前輪及び後輪と、椅子とを含んでなる複数の支持桿から構成され、該水平桿は一端が後輪桿に回動自在に接続し、他端が支持桿に回動自在に接続し、それぞれ位置決め座を設けてなり、該支持桿と前輪桿が湾曲桿を介して接続し、該前輪下桿と後輪桿とが交差した状態に回動自在に接続し、該前輪桿が位置を移動もしくは傾斜してロープを動かし、該椅子が複数の骨フレームから構成され、底部に方向転換装置を設けてなり、該方向転換装置は両側の底部にそれぞれ位置決め座に挿入する挿入座を設け、方向転換盤と、位置決め盤とを具えてなり、該方向転換盤は表面が複数の底桿に位置決めされ、該底桿は椅子の下方に接続して設けられ、該方向転換盤は外周端縁部に複数の孔が形成され、中心が柱体を介して位置決め盤に回転自在に接続し、該位置決め盤は両側に外方向に延伸した延伸ブロックを設けてなり、該延伸ブロックの端縁部が挿入座に回転自在に接続し、該延伸ブロックの内部に柱体を挿入し、該柱体がロープの連動を受けて柱体が方向転換盤の外周端縁部に形成された孔に入り込み、上述の構造により、位置を移動、もしくは傾いた前輪桿がロープを動かしてロープが位置決め盤の柱体を連動して後方に縮小し、該方向転換盤と椅子が同時に回転し、方向転換盤及び椅子が適宜な角度まで回転すると、前輪桿が元の位置に戻り、柱体が方向転換盤の外周端縁部に形成された孔に入り込み、方向転換盤及び椅子が適宜な角度に位置決めされ、椅子の方向及び角度を転換するという目的を達成することができる構造からなる乳母車によって課題を解決できる点に着眼し、かかる知見に基づいて本考案を完成させた。
【０００８】
以下、この考案について具体的に説明する。
請求項１に記載の乳母車は、本体が２本の水平桿と、ハンドルと、前輪桿と、一対の前輪下桿と、一対の支持桿と、後輪桿と、２つの前輪及び後輪と、椅子とを含んでなる複数の支持桿から構成され、該水平桿は一端が後輪桿に回動自在に接続し、他端が支持桿に回動自在に接続し、それぞれ位置決め座を設けてなり、該支持桿と前輪桿が湾曲桿を介して接続し、該前輪下桿と後輪桿とが交差した状態に回動自在に接続し、該前輪桿が位置を移動もしくは傾斜してロープを動かし、該椅子が複数の骨フレームから構成され、底部に方向転換装置を設けてなり、該方向転換装置は両側の底部にそれぞれ位置決め座に挿入する挿入座を設け、方向転換盤と、位置決め盤とを具えてなり、該方向転換盤は表面が複数の底桿に位置決めされ、該底桿は椅子の下方に接続して設けられ、該方向転換盤は外周端縁部に複数の孔が形成され、中心が柱体を介して位置決め盤に回転自在に接続し、該位置決め盤は両側に外方向に延伸した延伸ブロックを設けてなり、該延伸ブロックの端縁部が挿入座に回転自在に接続し、該延伸ブロックの内部に柱体を挿入し、該柱体がロープの連動を受けて柱体が方向転換盤の外周端縁部に形成された孔に入り込み、上述の構造により、位置を移動、もしくは傾いた前輪桿がロープを動かしてロープが位置決め盤の柱体を連動して後方に縮小し、該方向転換盤と椅子が同時に回転し、方向転換盤及び椅子が適宜な角度まで回転すると、前輪桿が元の位置に戻り、柱体が方向転換盤の外周端縁部に形成された孔に入り込み、方向転換盤及び椅子が適宜な角度に位置決めされ、椅子の方向及び角度を転換することができる構造からなる。
【０００９】
請求項２に記載の乳母車は、請求項１における方向転換盤が表面に複数の位置決め管が設けられ、該位置決め管が椅子の底桿を挿接して位置決めするために供する。
【００１０】
請求項３に記載の乳母車は、請求項１における方向転換盤が外周端縁部に４つの孔が形成され、隣接する孔との間の角度が９０度になるように形成される。
【００１１】
請求項４に記載の乳母車は、請求項１における挿入座が椅子に接続する上方端縁部に形成された耳が位置決め盤の延伸ブロックと回動自在に接続して設けられる。
【００１２】
請求項５に記載の乳母車は、請求項１における挿入座が下方に挿入ブロックが設けられ、該挿入ブロックが２つの水平桿の位置決め座に挿入して設けられ、該挿入ブロックには柱体が設けられ、挿入ブロックの側面にロープと牽引ブロックとを挿入するために供する溝が形成され、該牽引ブロックには孔が形成され、ロープの他端が柱体に接続し、該位置決め座には椅子に接続する上方側面に挿入座の挿入ブロックを挿入するために供する挿入溝と、フック及びロープを挿入するために供する設置槽が形成され、該フックが挿入座の牽引ブロックの内部の孔に係入され、位置決め座内の推移板に入り込み、推移板は一端がヘッドに接触し、他端がバネで押し圧されるとともに、ガイド斜面及び当止面が設けられ、内部に回復ブロックが挿入され、該回復ブロックが別のバネで押し圧されると、該挿入ブロックの柱体がガイド斜面を介して推移板内に進入し、当止面が上方へ移動し過ぎないように制限し、推移板が移動すると、挿入ブロックの柱体が回復ブロックの弾力を受けて上方に押され、挿入ブロックを取り出すことができる構造からなる。
【００１３】
請求項６に記載の乳母車は、請求項１における位置決め盤が延伸ブロックが設けられた外周縁部から延伸ブロックの内部に適宜な深さを具えた溝が形成され、該溝にはバネが設けられ、柱体を溝に挿入し、バネで押し圧するために供する。
【００１４】
請求項７に記載の乳母車は、請求項５におけるヘッドには突起が設けられ、対向する位置決め座には側孔が形成され、突起が側孔内で係止される。
【００１５】
請求項８に記載の乳母車は、請求項５における位置決め座が内部に回復ブロックのバネを押し圧するために供する受圧ブロックが設けられる。
【００１６】
請求項９に記載の乳母車は、請求項１における位置決め座が側面にカバーを接続して設けるとともに、複数の支持棒が接続して設けられ、該位置決め座には別の複数の支持棒で水平桿を接続して設ける。
【００１７】
請求項１０に記載の乳母車は、請求項１における前輪桿が、ナットとフックを具えてなり、該支持桿には逆フックが設けられ、ナットが上方に移動するとフックが連動して上方に移動して、フックと逆フックが外れ、前輪桿が適宜な角度に傾いてロープを連動する。
【考案の効果】
【００１８】
この考案による乳母車は、椅子を自由に回転させ、角度を変えることができるため、子供の視界が広がり、子供の脳を活性化するという効果を有する。
【考案を実施するための最良の形態】
【００１９】
この考案は、椅子を自由に回転させて予め設定した角度に位置決めすることができる乳母車であって、本体が２本の水平桿と、ハンドルと、前輪桿と、一対の前輪下桿と、一対の支持桿と、後輪桿と、２つの前輪及び後輪と、椅子とを含んでなる複数の支持桿から構成され、該水平桿は一端が後輪桿に回動自在に接続し、他端が支持桿に回動自在に接続し、それぞれ位置決め座を設けてなり、該支持桿と前輪桿が湾曲桿を介して接続し、該前輪下桿と後輪桿とが交差した状態に回動自在に接続し、該前輪桿が位置を移動もしくは傾斜してロープを動かし、該椅子が複数の骨フレームから構成され、底部に方向転換装置を設けてなり、該方向転換装置は両側の底部にそれぞれ位置決め座に挿入する挿入座を設け、方向転換盤と、位置決め盤とを具えてなり、該方向転換盤は表面が複数の底桿に位置決めされ、該底桿は椅子の下方に接続して設けられ、該方向転換盤は外周端縁部に複数の孔が形成され、中心が柱体を介して位置決め盤に回転自在に接続し、該位置決め盤は両側に外方向に延伸した延伸ブロックを設けてなり、該延伸ブロックの端縁部が挿入座に回転自在に接続し、該延伸ブロックの内部に柱体を挿入し、該柱体がロープの連動を受けて柱体が方向転換盤の外周端縁部に形成された孔に入り込み、上述の構造により、位置を移動、もしくは傾いた前輪桿がロープを動かしてロープが位置決め盤の柱体を連動して後方に縮小し、該方向転換盤と椅子が同時に回転し、方向転換盤及び椅子が適宜な角度まで回転すると、前輪桿が元の位置に戻り、柱体が方向転換盤の外周端縁部に形成された孔に入り込み、方向転換盤及び椅子が適宜な角度に位置決めされ、椅子の方向及び角度を転換するという目的を達成することができる構造からなる乳母車の構造と特徴を詳述するために具体的な実施例を挙げ、図示を参照にして以下に説明する。
【実施例】
【００２０】
図１から５に開示するように、乳母車は本体１０と、椅子２０と、方向転換装置３０と、位置決め座４０とを含んでなる。該本体１０と従来の乳母車と同様に複数の支持桿から構成される。該支持桿は２本の水平桿１１と、Ｕ字状のハンドル１２と、該ハンドル１２の末端に接続する一対の前輪桿１３と、一対の前輪下桿１３３と、一対の支持桿１４と、一対の後輪桿１５と、２つの前輪１６と、２つの後輪１７とを含んでなり、椅子２０は本体１０上に設けられる。
【００２１】
該水平桿１１は一端が後輪桿１５に回動自在に接続し、他端が支持桿１４に回動自在に接続する。該支持桿１４と前輪桿１３は湾曲桿１４１により回動自在に接続され、支持桿１４と前輪桿１３が隣接する時に略平行を呈し、乳母車が開かれると、挟角を形成する。該前輪下桿１３３と後輪桿１５は回動自在に交差して接続される。前輪下桿１３３は末端が前輪１６に回転自在に接続し、後輪桿１５は末端が後輪１７に回転自在に接続する。該前輪桿１３は着脱可能なナット１３１及び着脱可能なフック１３２（図６、７参照）を具えてなり、該支持桿１４のフック１３２に対応する箇所に逆さフック１４２が設けられる。該フック１３２は逆さフック１４２と互いに掛止させることができる。ナット１３１が上方に移動すると、フック１３２が連動して上方に移動してフック１３２と逆さフック１４２とが分離される。また、フック１３２がロープ１８（図８参照）に接続しているため、フック１３２が上方に移動するか、もしくは前輪桿１３を適宜な角度に傾けるとロープ１８が連動する。
【００２２】
該椅子２０は、複数の骨フレームから構成され、上方には布などのやわらかい材質から形成されたクッションなどが設けられて（図には表示しない）子供が座るために供する。椅子２０は底部に２本の底桿２１が設けられ、椅子２０は本体１０の２本の水平桿１１に回転自在に接続される。該２本の水平桿１１は、内側の側面にそれぞれ位置決め座４０が設けられ、該椅子２０の底部には方向転換装置３０が設けられる。
【００２３】
該方向転換装置３０は図４に開示するように、両側の底部にそれぞれ挿入座３５が設けられ、挿入座３５を位置決め座４０に挿入して接続する（図５参照）。該方向転換装置３０は、方向転換盤３１と、位置決め盤３２とを含んでなる。該方向転換盤３１は下方向に形成された蓋板と、表面に設けられた複数の突出した位置決め管３１１とを具えてなる。該位置決め管３１１は、椅子２０の２本の底桿２１を挿入して位置決めするために供し、方向転換盤３１と椅子２０を連動させる。また、方向転換盤３１の外周端縁部には４つの孔３１２、３１３、３１４、３１５（図１０参照）が形成される。隣接する孔３１２、３１３（孔３１４、３１５）は互いに９０度の角を形成するように、東、西、南、北の方向に位置する（孔は８つか、もしくはさらに多く均等に形成すればよい）。方向転換盤３１は中心に中心孔３１６が形成され、位置決め盤３２の中心の該中心孔３１６に対応する位置に孔３２１が形成され、柱体３３を中心孔３１６と孔３２１に挿入すると、方向転換盤３１と位置決め盤３２が互いに回転自在に接続される。該位置決め盤３２は両側に外方向に延伸した延伸ブロック３４がそれぞれ設けられ、該延伸ブロック３４は端縁部が挿入座３５に回動自在に接続する。
【００２４】
該挿入座３５は延伸ブロック３４に接続する上方端縁部に耳部３５１が設けられ、桿体３５２により位置決め盤３２の延伸ブロック３４と回動自在に接続される。延伸ブロック３４は位置決め盤３２に接続する端縁部から外方向へ向けて内側に円形の溝３４１を設けてなる。該溝３４１は適宜な深さを具え、バネ３６１及び柱体３６が挿入される。該柱体３６はバネ３６１に当接し、ロープ３６２に連動されて柱体３６が方向転換盤３１の外周端縁部に形成されたいずれかの孔３１２、３１３、３１４、３１５に挿入される。
【００２５】
また、該挿入座３５は下方に挿入ブロック３５３が設けられる。該挿入ブロック３５３は２本の水平桿１１の位置決め座４０に挿設され、横方向、即ち長手方向に垂直な方向に柱体３５４を設けてなるとともに、いずれかの挿入ブロック３５３の側面には溝３５５が設けられる。該溝３５５はロープ３６２及び牽引ブロック３６３を挿入するために供する。該牽引ブロック３６３は孔３６４を具えてなり、ロープ３６２の他端が柱体３６に接続する。
【００２６】
図５に開示するように、該位置決め座４０は複数の支持棒４１１により側面にカバー４１を接続して設ける。また、別の複数の支持棒４２で位置決め座４０と水平桿１１とを互いに接続する。該位置決め座４０は上方に挿入溝４３及び該挿入溝４３の一端縁部に形成された設置槽４４とを具えてなる。該挿入溝４３は挿入座３５の挿入ブロック３５３を挿入するために供し（図４参照）、設置槽４４はフック４５及びロープ１８を設けるために供する。
【００２７】
該フック４５は挿入座３５の牽引ブロック３６３の孔３６４に係合され、設置槽４４内部を上下に滑動自在に移動するように設ける。位置決め座４０内部には推移板４６が設けられ、該推移板４６は一端がヘッド４７に接触し、他端がバネ４６１を押し圧する。ヘッド４７には突起４７１が設けられ、位置決め座４０に設けられた側孔４０１を押し圧し、外側に移動して落ちることを防ぐ。
【００２８】
推移板４６はガイド斜面４６２と、当止面４６３とを設けてなり、中間に形成された空間に回復ブロック４６４を設けてなる。該回復ブロック４６４は別のバネ４６５に押し圧されて位置決め座４０内部で別の受圧ブロック４８を固定して設ける。該受圧ブロック４８は回復ブロック４６４のバネ４６５を押し圧するために供し、回復ブロック４６４が弾性を具えてなる。
【００２９】
推移板４６が側面に移動すると、挿入ブロック３５３の柱体３５４がガイド斜面４６２を介して推移板４６の中間の空間に進入し、当止面４６３が上方に移動し過ぎないように制限して挿入ブロック３５３を位置決めする。推移板４６が側面に移動すると、挿入ブロック３５３の柱体３５４が回復ブロック４６４の弾性力を受けて上方に推されて挿入ブロック３５３及び挿入座３５を取り出すことができる。
【００３０】
上述の構造により、この考案の乳母車を構成する。ナット１３１の位置を移動するか、もしくは前輪桿１３を傾けると、方向転換装置３０の係止状態が解除され、椅子２０を適宜な角度（方向転換するだけでなく）に回転することができる。
【００３１】
回転する場合、図６から８に開示するように、乳母車の構造を利用する。まず、前輪桿１３のナット１３１を上方に移動させてナット１３１をフック１３２に連動させる。フック１３２がロープ１８を連動するか、もしくは前輪桿１３が傾く作用でロープ１８を連動する。図９から１４に開示するように、ロープ１８が位置決め座４０内のフック４５を下方向に動かし、フック４５がさらに挿入座３５内部の牽引ブロック３６３を下方向に移動させる。もう一本のロープ３６２が位置決め盤３２内の柱体３６を動かして位置決め盤３２の柱体３６が後方に縮小される。よって、柱体３６が方向転換盤３１の孔３１２に挿入されなくなり、方向転換盤３１を自由に回転することができる。
【００３２】
該方向転換盤３１は椅子２０に連動して同時に回転する。即ち、椅子２０が一定の角度に回転すると、方向転換盤３１及び椅子２０が予め決められた角度に回転すると、ナット１３１及び前輪桿１３が元の位置に戻り（本体内部のバネの回復力による）、ロープ１８が再度、引かれることがない。該フック４５、牽引ブロック３６３、ロープ３６２及び柱体３６が元の位置に戻り、柱体３６がバネ３６１の回復力を受けて元の位置に戻る。該柱体３６が再び、回転盤３１の孔３１４に進入し、方向転換盤３１が予め決められた角度（１８０度）に位置決めされる。椅子２０も予め決められた角度（１８０度）に位置決めされて停止し、椅子２０を方向、角度転換するという目的を達成することができる。
【００３３】
この考案の椅子２０は、様々な角度に方向を転換することができ（方向回転盤３１に孔を増設すればよい）、例えば９０度、１８０度などの角度（図１３、１４参照）、もしくは４５度、１３５度などの角度に方向転換することができ、子供の視野を様々な角度に変えることができる。また、椅子２０を取り出す場合にも子供を驚かすことがなく、前輪桿１３のナット１３１を上方に移動させるだけでよいため、操作が簡単である。即ち、方向転換装置３０を解除すれば椅子２０の方向を転換することができ、従来の乳母車の椅子のように１８０度にしか変えることができないという欠点を改善した。
【００３４】
本体１０の位置決め座は、位置決め盤３２を位置決めするために供するだけでなく、位置決め盤３２をすばやく取り外して椅子２０をすばやく本体１０から取り外すためにも供する。図１５から１７に開示するように、使用する場合、位置決め座４０の端縁部に設けられたヘッド４７を押すと、推移板４６が移動する。該推移板４６が移動すると、当止面４６３が挿入ブロック３５３の柱体３５４に当接することがなくなる。この時、柱体３５４が回復ブロック４６４の回復力で上方に移動して、推移板４６が外れて位置決め座４０の挿入溝４３から挿入溝４３が外れ、挿入座３５の挿入ブロック３５３を位置決め座４０の挿入溝４３からすばやく取り外すことができる。よって、椅子２０を本体１０に位置決めされた状態から完全に外して、すばやく取り外すことができる。
【００３５】
椅子２０は本体１０に位置決めする場合、椅子２０の下方に設けられた挿入ブロック３５３を位置決め座４０の挿入溝４３に挿入すればよく、挿入ブロック３５３の柱体３５４が位置決め座４０内部のガイド斜面４６２を介して推移板４６が移動させられ、柱体３５４を推移板４６の中間の空間に進入させて、推移板４６がバネ４６１の回復力を受けて元の位置に戻り、当止面４６３が柱体３５４を上方に移動し過ぎないように制限する。即ち、挿入ブロック３５３が位置決め座４０の挿入溝４３に完全に位置決めされ、該位置決め盤３２及び椅子２０が本体１０の水平桿１１上に位置決めされる。
【００３６】
また、椅子２０に設けられる方向転換の機能は、子供に複数の効果を提供する。子供の視野が広がり、外界の動きに制限を受けないため、好奇心が旺盛になり、子供の脳が平均的に発達する。オートバイなどの排気ガスが放出される方向を子供から遠ざけることができる。子供が風を受けて、涼しくなりすぎることを防ぐことができる。また、この考案の乳母車は椅子２０の方向や角度を転換することができる以外に、乳母車上にスリーピングボックスやベッドなど乳母車上に設けることができるものを組み合わせて使用することができる。
【００３７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の請求の範囲に属するものとする。
【図面の簡単な説明】
【００３８】
【図１】この考案の構造を示した斜視図である。
【図２】この考案の構造を示した平面図である。
【図３】この考案の椅子と本体とを分解した状態を示した説明図である。
【図４】この考案の方向転換装置を示した分解図である。
【図５】この考案の位置決め座を示した分解図である。
【図６】この考案の前輪桿のフック棒とフックを係止した状態を示した説明図である。
【図７】図６に開示するフック棒とフックを外した状態を示した説明図である。
【図８】この考案の前輪桿を適宜な角度に傾けるとともに、ロープを引いた状態を示した説明図である。
【図９】この考案の位置決め盤の挿入座を位置決め座に挿入した状態を示した断面図である。
【図１０】この考案の方向転換盤が柱体で係止された状態を示した断面図である。
【図１１】この考案のロープが牽引ブロックを下方向に引いた状態を示した断面図である。
【図１２】この考案の方向転換盤が回転する状態を示した説明図である。
【図１３】この考案の方向転換盤が１８０度に回転した状態を示した説明図である。
【図１４】この考案の椅子を１８０度方向転換した状態を示した平面図である。
【図１５】この考案の挿入座を位置決め座に挿入した状態を示した縦方向の断面図である。
【図１６】この考案の位置決め盤の挿入座を位置決め座に挿入した状態を示した平面図である。
【図１７】この考案のナットを押して推進版の位置を移動させた状態を示した平面図である。
【符号の説明】
【００３９】
１０        本体
１１        水平桿
１２        ハンドル
１３        前輪桿
１３１      ナット
１３２      フック
１３３      前輪下桿
１４        支持桿
１４１      湾曲桿
１４２      逆さフック
１５        後輪桿
１６        前輪
１７        後輪
１８        ロープ
２０        椅子
２１        底桿
３０        方向転換装置
３１        方向転換盤
３１１      位置決め管
３１２      孔
３１３      孔
３１４      孔
３１５      孔
３１６      中心孔
３２        位置決め盤
３２１      孔
３３        柱体
３４        延伸ブロック
３４１      溝
３５        挿入座
３５１      耳部
３５２      桿体
３５３      挿入ブロック
３５４      柱体
３５５      溝
３６        柱体
３６１      バネ
３６２      ロープ
３６３      牽引ブロック
３６４      孔
４０        位置決め座
４０１      孔
４１        カバー
４１１      支持棒
４２        支持棒
４３        挿入溝
４４        設置槽
４５        フック
４６        推移板
４６１      バネ
４６２      ガイド斜面
４６３      当止面
４６４      回復ブロック
４６５      バネ
４７        ヘッド
４７１      突起
４８        受圧ブロック
【図１】
0003126071.tif 000003
【図２】
0003126071.tif 000004
【図３】
0003126071.tif 000005
【図４】
0003126071.tif 000006
【図５】
0003126071.tif 000007
【図６】
0003126071.tif 000008
【図７】
0003126071.tif 000009
【図８】
0003126071.tif 000010
【図９】
0003126071.tif 000011
【図１０】
0003126071.tif 000012
【図１１】
0003126071.tif 000013
【図１２】
0003126071.tif 000014
【図１３】
0003126071.tif 000015
【図１４】
0003126071.tif 000016
【図１５】
0003126071.tif 000017
【図１６】
0003126071.tif 000018
【図１７】
0003126071.tif 000019